(57)【要約】【課題】  電源コンセントに確実に固定できる多口分岐コンセントを提案すること。【解決手段】  多口分岐コンセント１は、コンセントケース２の背面２１に、一般家庭などの壁面Ｗに設置されている電源コンセント５の上下２組のコンセント口５１、５２のそれぞれに差し込み可能な上下２組の第１電気プラグ６および第２電気プラグ７を備えている。第１および第２電気プラグ６、７の栓刃６ａ、６ｂおよび７ａ、７ｂをそれぞれ、２口電源コンセント５のコンセント口５１、５２に同時に差し込むと、がたつき無く、多口分岐コンセント１が電源コンセント５に固定される。したがって、電気機器などの電源プラグを抜き差しする際に、多口分岐コンセント１が電源コンセント５から抜け落ちることがない。【選択図】  図１
2006114472.tif 000002
【特許請求の範囲】
【請求項１】
絶縁性材料から形成されたコンセントケースと、
一般家庭などの壁面に設置された電源コンセントのコンセント口に差し込み可能な少なくとも第１および第２電気プラグと、
前記コンセントケースに形成された複数組のコンセント口とを有し、
当該第１および第２電気プラグは前記コンセントケースに組み込まれており、
前記コンセントケースの外側表面からは、前記第１電気プラグの一対の栓刃、および前記第２電気プラグの一対の栓刃が、所定の間隔で突出していることを特徴とする多口分岐コンセント。
【請求項２】
請求項１において、
前記第１電気プラグの一対の栓刃、および前記第２電気プラグの一対の栓刃は、それらの間隔を変更可能な状態で前記コンセントケースに取り付けられていることを特徴とする多口分岐コンセント。
【請求項３】
請求項１または２において、
前記コンセントケースには、前記第１電気プラグおよび前記第２電気プラグから各コンセント口への給電を遮断するためのスイッチが取り付けられていることを特徴とする多口分岐コンセント。
【請求項４】
一般家庭などの壁面に設置された電源コンセントのコンセント口に差し込み可能な１組の電気プラグを備えた少なくとも第１および第２多口分岐コンセントユニットと、
当該第１および第２多口分岐コンセントユニットを並列状態で装着可能な連結ケースとを有し、
前記連結ケースに装着されると、前記第１および第２多口分岐コンセントユニットの前記電気プラグにおける各一対の栓刃が、一定の間隔で同一方向に平行に突出した状態が形成されるようになっていることを特徴とする多口分岐コンセント。
【請求項５】
一般家庭などの壁面に設置された電源コンセントのコンセント口に差し込み可能な１組の電気プラグを備えた第１および第２多口分岐コンセントユニットと、
当該第１および第２多口分岐コンセントユニットを並列状態に相互に連結した第１連結状態および第２連結状態のいずれかの状態で連結可能な連結部とを有し、
前記第１連結状態では、前記第１多口分岐コンセントユニットの前記電気プラグの一対の栓刃と、前記第２の多口分岐コンセントユニットの前記電気プラグの一対の栓刃との間隔が第１間隔であり、
前記第２連結状態では前記栓刃の前記間隔が前記第１間隔とは異なる第２間隔であることを特徴とする連結式の多口分岐コンセント。
【請求項６】
請求項５において、
前記連結部は、前記第１多口分岐コンセントユニットにおける対向する第１および第２の端面に形成された第１突起および第２突起と、前記第２多口分岐コンセントユニットの端面に形成された突起差込溝から構成されており、
前記第１突起を前記突起差込溝に差し込むと、前記第１多口分岐コンセントユニットの前記第１の端面が前記第２多口分岐コンセントユニットの前記端面に当接した前記第１連結状態が形成され、
前記第２突起を前記突起差込溝に差し込むと、前記第１多口分岐コンセントユニットの前記第２の端面が前記第２多口分岐コンセントユニットの前記端面に当接した前記第２連結状態が形成され、
前記第１多口分岐コンセントユニットの前記栓刃から前記第１の端面までの距離と、当該栓刃から前記第２の端面までの距離が異なっていることを特徴とする連結式の多口分岐コンセント。
【請求項７】
請求項１ないし３のいずれかに記載の多口分岐コンセントと、
当該多口分岐コンセントから引き出された電気ケーブルと、
当該電気ケーブルを介して前記多口分岐コンセントに電気的に接続されたタップとを有していることを特徴とする多口分岐コンセント付きテーブルタップ。
【発明の詳細な説明】
【技術分野】
【０００１】
本発明は、壁面などに埋め込まれている電源コンセントのコンセント口を増やすために用いる多口分岐コンセント、およびそれを備えた多口分岐コンセント付きテーブルタップに関するものである。
【背景技術】
【０００２】
一般家庭などにおいて、壁面に埋め込まれている電源コンセントは、２組ないし３組の電気プラグを差し込み可能なコンセント口を備えている。コンセント口よりも多い数の電気プラグを差し込むことができるようにするために、多口分岐コンセントが用いられている。例えば、図１１に示すような、３組のコンセント口を備えた多口分岐コンセントが用いられている。この多口分岐コンセント２００は、壁面Ｗに埋め込まれている電源コンセント２０５のコンセント口２５１に差し込み可能な一対の栓刃を備えた電気プラグ２０２を有し、この電気プラグ２０２は３組のコンセント口２１１、２１２、２１３に電気的に接続されている。電気プラグ２０２を電源コンセント２０５のコンセント口２５１に差し込むと、３組のコンセント口２１１、２１２、２１３から給電可能になる。
【発明の開示】
【発明が解決しようとする課題】
【０００３】
従来の多口分岐コンセント２００では、壁面の１組のコンセント口に差し込まれた一対の栓刃によって当該コンセント２００が壁面に固定されている。したがって、多口分岐コンセント２００に外部から僅かな力が作用しただけでも、壁面Ｗから抜けてしまうおそれがある。このため、多口分岐コンセント２００と壁面Ｗとの間に隙間が形成された場合に、そこから侵入した埃などによってショートや漏電などが引き起こされるので、大変危険である。また、多口分岐コンセント２００に対して、オーディオ機器などの電気機器の電気プラグの抜き差しを行う場合には、片方の手で多口分岐コンセント２００を押さえながら、もう片方の手で電気プラグの抜き差しを行う必要があり不便である。
【０００４】
また、電源コンセント２０５は、部屋の隅など物陰になりやすい場所に設置されているのが一般的である。物陰に隠れた多口分岐コンセント２００に対して電気プラグの抜き差しを行う作業は、不自然な姿勢で行わなければならないため、面倒である。
【０００５】
さらに、多口分岐コンセント２００にコンセント口を数多く設けると、そこに差し込まれる電気プラグなどの重さによって、多口分岐コンセント２００が電源コンセント２０５から抜けやすい。このため、コンセント口の数を増やすことができない。
【０００６】
本発明の課題は、電源コンセントに確実に固定できる多口分岐コンセントを提案することにある。また、本発明の課題は、多口分岐コンセントを備えた多口分岐コンセント付きテーブルタップを提案することにある。
【課題を解決するための手段】
【０００７】
上記課題を解決するために、本発明の多口分岐コンセントは、
絶縁性材料から形成されたコンセントケースと、
一般家庭などの壁面に設置された電源コンセントのコンセント口に差し込み可能な少なくとも第１および第２電気プラグと、
前記コンセントケースに形成された複数組のコンセント口とを有し、
当該第１および第２電気プラグは前記コンセントケースに組み込まれており、
前記コンセントケースの外側平面からは、前記第１電気プラグの一対の栓刃、および前記第２電気プラグの一対の栓刃が、所定の間隔で突出していることを特徴としている。
【０００８】
ここで、２口タイプと３口タイプのいずれの電源コンセントでも使用できるようにするためには、前記第１電気プラグの一対の栓刃、および前記第２電気プラグの一対の栓刃を、それらの間隔が変更可能な状態で前記コンセントケースに取り付けることが望ましい。
【０００９】
また、電気機器を長期間使用しない場合などに、電源コンセントから多口分岐コンセントを引き抜く、あるいは多口分岐コンセントから電気機器の電気プラグを引き抜くといった作業を不要にするためには、前記コンセントケースに、前記第１電気プラグおよび前記第２電気プラグから各コンセント口への給電を遮断するためのスイッチを取り付けることが望ましい。
【００１０】
次に、本発明は多口分岐コンセント付きテーブルタップに関するものであり、上記構成の多口分岐コンセントと、当該多口分岐コンセントから引き出された電気ケーブルと、当該電気ケーブルを介して前記多口分岐コンセントに電気的に接続されたタップとを有していることを特徴としている。
【００１１】
一方、本発明の多口分岐コンセントは、一般家庭などの壁面に設置された電源コンセントのコンセント口に差し込み可能な１組の電気プラグを備えた少なくとも第１および第２多口分岐コンセントユニットと、該第１および第２多口分岐コンセントユニットを並列状態で装着可能な連結ケースとを有し、前記連結ケースに装着されると、前記第１および第２多口分岐コンセントユニットの前記電気プラグにおける各一対の栓刃が、一定の間隔で同一方向に平行に突出した状態が形成されるようになっていることを特徴としている。
【００１２】
次に、２口タイプと３口タイプのいずれの電源コンセントでも使用できるようにするためには、本発明の連結式の多口分岐コンセントは、一般家庭などの壁面に設置された電源コンセントのコンセント口に差し込み可能な１組の電気プラグを備えた第１および第２多口分岐コンセントユニットと、当該第１および第２多口分岐コンセントユニットを並列状態に相互に連結した第１連結状態および第２連結状態のいずれかの状態で連結可能な連結部とを有し、前記第１連結状態では、前記第１多口分岐コンセントユニットの前記電気プラグの一対の栓刃と、前記第２の多口分岐コンセントユニットの前記電気プラグの一対の栓刃との間隔が第１間隔であり、前記第２連結状態では前記栓刃の前記間隔が前記第１間隔とは異なる第２間隔であることを特徴としている。
【００１３】
この構成によれば、２つの多口分岐コンセントユニットの連結状態を変えることにより、２口タイプおよび３口タイプの電源コンセントのいずれにも差し込むことができる。
【００１４】
ここで、前記連結部としては、前記第１多口分岐コンセントユニットにおける対向する第１および第２の端面に形成された第１突起および第２突起と、前記第２多口分岐コンセントユニットの端面に形成された突起差込溝からなるものを用いることができる。この場合には、前記第１多口分岐コンセントユニットの前記栓刃から前記第１の端面までの距離と、当該栓刃から前記第２の端面までの距離とが異なるように、当該栓刃の位置を決める。このようにすれば、前記第１突起を前記突起差込溝に差し込むと、前記第１多口分岐コンセントユニットの前記第１の端面が前記第２多口分岐コンセントユニットの前記端面に当接した前記第１連結状態が形成され、前記第２突起を前記突起差込溝に差し込むと、前記第１多口分岐コンセントユニットの前記第２の端面が前記第２多口分岐コンセントユニットの前記端面に当接した前記第２連結状態が形成される。
【発明の効果】
【００１５】
一般家庭などの壁面に設置されている電源コンセントは、一般に、２組あるいは３組のコンセント口を備えている。したがって、第１および第２電気プラグの各対の栓刃をそれぞれ電源コンセントのコンセント口に差し込むことにより、本発明の多口分岐コンセントはがたつきなく、しかも、確実に壁面の電源コンセントに取り付けられた状態になる。よって、電気機器の電気プラグの抜き差しを行う際に多口分岐コンセントを押さえながら行う必要がないので、その作業が簡単になる。また、多口分岐コンセントのコンセント口の数を従来に比べて増やしても、電源コンセントから抜け落ちるおそれがない。
【発明を実施するための最良の形態】
【００１６】
以下に、図面を参照して、本発明を適用した多口分岐コンセントの各実施の形態を説明する。
【００１７】
［実施の形態１］
図１は本発明の実施の形態１に係る多口分岐コンセントを示す図であり、(ａ)は正面側から見た場合の斜視図であり、(ｂ)は背面側から見た場合の斜視図である。図２(ａ)〜(ｃ)はそれぞれ、図１に示す多口分岐コンセントの内部構造を示す説明図、右側面図、および底面図である。これらの図には、一般家庭などにおいて壁面に埋め込まれている電源コンセントなどのように垂直な面に配置された電源コンセントに取り付ける場合を示してある。
【００１８】
本例の多口分岐コンセント１は、ＡＢＳ樹脂などの絶縁性材料から形成した扁平な直方体形状をしたコンセントケース２を備え、このコンセントケース２は、ケース本体３とケース蓋４から構成されている。コンセントケース２の背面２１(外側平面)には、壁面Ｗに埋め込まれている２口電源コンセント５の上下２組のコンセント口５１、５２のそれぞれに差し込み可能な第１電気プラグ６を構成している一対の栓刃６ａ、６ｂと、第２電気プラグ７を構成している一対の栓刃７ａ、７ｂとが、所定の間隔Ｌをあけて垂直に突出している。また、コンセントケース２における外周側面２２ａ〜２２ｄには、それぞれ、１組のコンセント口１１、１組のコンセント口１２、２組のコンセント口１３、１４および、２組のコンセント口１５、１６が形成されている。
【００１９】
図２(ａ)に示すように、これら６組のコンセント口１１〜１６は、コンセントケース２の内部において第１あるいは第２電気プラグ６、７と電気的に接続されている。従って、第１および第２電気プラグ６、７をそれぞれ、２口電源コンセント５のコンセント口５１、５２に差し込むと、６組のコンセント口１１〜１６から外部の電気機器に対して給電可能になる。
【００２０】
詳細に説明すると、コンセントケース２の内部には、第１および第２電気プラグ６、７の２極の栓刃６ａ、６ｂおよび７ａ、７ｂの基端部分がそれぞれ位置している。また、６組のコンセント口１１〜１６の内部には、当該コンセント口１１〜１６に差し込まれる電気機器などの電気プラグの栓刃を両側から挟み込んで保持可能な２極の刃受けバネ１１ａ、１１ｂ、１２ａ、１２ｂ、１３ａ、１３ｂ、１４ａ、１４ｂ、１５ａ、１５ｂ、１６ａ、１６ｂが配置されている。さらに、ケース本体３の剛性を高めるために形成された複数本のリブに沿うように上側と下側に２極ずつ端子板１９ａ、１９ｂ、２０ａ、２０ｂが組み込まれている。
【００２１】
第１電気プラグ６の２極の栓刃６ａ、６ｂのうち、一方の極の栓刃６ａは、基端部が端子板１９ａに接続され、該端子板１９ａは、上側の３組のコンセント口１１、１３、１５の一方の極の刃受けバネ１１ａ、１３ａ、１５ａと繋がっている。第１プラグ６の他方の極の栓刃６ｂは、基端部が端子板１９ｂに接続され、該端子板１９ｂは、上側の３組のコンセント口１１、１３、１５の他方の極の刃受けバネ１１ｂ、１３ｂ、１５ｂと繋がっている。
【００２２】
また、第２電気プラグ７の２極の栓刃７ａ、７ｂのうち、一方の極の栓刃７ａは、基端部が端子板２０ａに接続され、該端子板２０ａは、下側の３組のコンセント口１２、１４、１６の一方の極の刃受けバネ１２ａ、１４ａ、１６ａと繋がっている。第２プラグ７の他方の極の栓刃７ｂは、基端部が端子板２０ｂに接続され、該端子板２０ｂは、下側の３組のコンセント口１２、１４、１６の他方の極の刃受けバネ１２ｂ、１４ｂ、１６ｂと繋がっている。
【００２３】
なお、ケース本体３の４隅部分には、ケース蓋４の固定用ネジ６０が挿通するネジ挿通孔３１１が形成されており、当該ネジ挿通孔３１１を貫通してケース蓋４のネジ穴４１１にねじ込まれた固定用ネジ６０によって、ケース蓋４はケース本体１０４に固定されている。
【００２４】
一般家庭などの壁面に設置されている電源コンセントは規格によりコンセント口間距離が決まっている。本例では、図１(ａ)に示すような一般の２口電源コンセント５用に、第１および第２電気プラグ６、７の間隔Ｌが設定されており、例えば、間隔Ｌは３４ｍｍに設定されている。したがって、第１および第２電気プラグ６、７を２口電源コンセント５のコンセント口５１、５２に同時に差し込むことができる。よって、本例の多口分岐コンセント１は、２口電源コンセント５に確実に固定される。このため、多口分岐コンセント１を押さえながら電気機器の電気プラグの抜き差しを行わなくても、多口分岐コンセント１が抜け落ちることがない。また、多数のコンセント口を設けても抜け落ちることがないので、６組以上のコンセント口、例えば、８組、１０組のコンセント口を設けることも可能である。
【００２５】
［実施の形態２］
ここで、一般家庭などの壁面に設置されている電源コンセントには、図１、図２に示す２口タイプの他に、３口タイプのものもある。図３には本発明を適用した３口電源コンセント用の多口分岐コンセント１Ａを示してある。なお、本例および後述する実施の形態３、４の多口分岐コンセントは、基本的な構成が実施の形態１と共通しているので、対応する機能を有する部分には同一の符号を付してそれらの説明を省略する。
【００２６】
本例の多口分岐コンセント１Ａは、３組の第１、第２および第３電気プラグ６、７、８を備えている。これら第１、第２および第３電気プラグ６、７、８は、コンセントケース２における背面２１に所定の間隔Ｌ’をあけて平行に配置されている。その間隔Ｌ’は、３口電源コンセント(図示せず)のコンセント口の間隔と同一に設定さている。また、多口分岐コンセント１Ａの外周側面には６組のコンセント口１１〜１６が設けられている。
【００２７】
本例の多口分岐コンセント１では、その３組の電気プラグ６、７、８が室内壁面などに設置されている３口電源コンセント(図示せず)に差し込まれる。よって、多口分岐コンセント１を、がたつきなく、確実に当該３口電源コンセントに固定できる。
【００２８】
［実施の形態３］
図４は本発明の実施の形態３に係る多口分岐コンセントを示す図であり、(ａ)は正面側から見た場合の斜視図であり、(ｂ)は背面側から見た場合の斜視図であり、(ｃ)は一部を切り欠いた状態で示す右側側面図である。
【００２９】
本例の多口分岐コンセント１Ｂは基本的には図１、２に示すものと同一であり、２つの電気プラグ６、７Ａを備えている。しかるに、これらの電気プラグ６、７Ａの栓刃６ａ、６ｂおよび７ａ、７ｂの間隔を３段階に調整可能な機構が備わっている点と、７組のコンセント口１２〜１８が設けられている点と、各コンセント口１２〜１８への給電を遮断可能なスイッチ９が設けられている点が相違している。
【００３０】
まず、間隔調整機構について説明すると、一方の電気プラグ７Ａは、電気プラグ６に対して接近および離れる方向(図においては上下方向)の３箇所の位置にスライドさせることが可能となっている。すなわち、第２電気プラグ７Ａは、コンセントケース２の背面２１に形成された矩形状凹部３０５内に上下方向にスライド自在な状態で配置したスライド軸７１を備え、このスライド軸７１に一対の栓刃７ａ、７ｂの後端部７ｃが取り付けられている。また、矩形状凹部３０５における左右の側面部分３５１、３５２にはそれぞれ、上下方向に平行に延びる長円形のガイド孔３０６が形成され、ここにスライド軸７１の左右の端部がスライド自在に挿入されている。
【００３１】
さらに、電気プラグ７Ａの栓刃７ａ、７ｂは、スライド位置Ｐ１、Ｐ２およびＰ３に固定可能となっている。図５(ａ)〜(ｄ)を参照して説明すると、スライド軸７１の左右の端部が挿入されているガイド孔３０６におけるスライド方向に延びる内周縁には、各スライド位置Ｐ１〜Ｐ３に対応する位置にそれぞれ、スライド軸７１の一部分が係合可能な円弧溝３６１、３６２、３６３が形成されている。また、矩形状凹部３０５の底面部分３５３には、各スライド位置Ｐ１〜Ｐ３に対応する位置にそれぞれ、所定幅の係合溝５１、５２、５３が形成されている。さらに、第２電気プラグ７Ａの栓刃後端部７ｃの後面には、係合溝５１〜５３にはめ込み可能な所定幅の係合爪７３が形成されている。栓刃７ａ、７ｂを背面２１に直交する起立状態から倒すことにより、栓刃７ａ、７ｂをスライドさせることが可能である。各位置Ｐ１〜Ｐ３において、栓刃７ａ、７ｂを背面２１に直交する状態に起立させると、それらが取り付けられている後端部７ｃがスライド軸７１を中心として回転して、係合爪７３が係合溝５１〜５３に嵌り込む。また、スライド軸７１が背面２１の側に押し上げられて円弧溝３６１〜３６３に嵌る。この結果、第２電気プラグ７Ａが各位置Ｐ１〜Ｐ３に固定される。
【００３２】
一般家庭などの壁面に設置されている電源コンセントは規格によりコンセント口間距離が決まっており、電源コンセントには、大別して２口タイプのものと３口タイプのものとがある。本例では、第２電気プラグ７Ａを上側の位置Ｐ１にロックした場合に、第１および第２電気プラグ６、７Ａの間隔が、３口電源コンセントにおけるコンセント口間距離と同一になるように設定されている。また、第２電気プラグ７Ａを中間の位置Ｐ２でロックした場合には、第１および第２電気プラグ６、７Ａの間隔は、２口電源コンセントのコンセント口間距離と同一になるように設定されている。さらに、第２電気プラグ７Ａを下側の位置Ｐ３でロックした場合には、第１および第２電気プラグ６、７Ａの間隔は、３口電源コンセントにおける両側のコンセント口間距離と同一になるように設定されている。勿論、それら以外の距離に第１および第２電気プラグ６、７Ａの間隔を設定することも可能である。
【００３３】
次に、７組のコンセント口１２〜１７は、それぞれ、コンセントケース２の下側外周側面、左右の外周側面および前面に形成されている。また、スイッチ９は、コンセントケース２の上側外周側面に設けられている。
【００３４】
以上説明したように、本例の多口分岐コンセント１Ｂでは、第２電気プラグ７Ａが上下方向に移動可能に構成されているので、これらの間隔を変更できる。それ故、様々なタイプの電源コンセントに対応できるので、汎用性が高い。
【００３５】
また、スイッチ９を設けたので、電気機器を長期間使用しない場合などに、電源コンセントから多口分岐コンセント１を引き抜く、あるいは多口分岐コンセント１から電気機器の電気プラグを引き抜くといった作業が不要になるので、使い勝手が大変よい。
【００３６】
［実施の形態４］
図６(ａ)は本発明を適用した多口分岐コンセント付きテーブルタップ示す斜視図であり、図６(ｂ)はその多口分岐コンセントの部分を正面側から見た場合の斜視図である。
【００３７】
これらの図に示すように、本例の多口分岐コンセント付きテーブルタップ１００は、多口分岐コンセント１Ｃと、多口分岐コンセント１Ｃから引き出された電気ケーブル７０と、この電気ケーブル７０を介して多口分岐コンセント１Ｃに電気的に接続されたタップ８０とを有している。
【００３８】
多口分岐コンセント１Ｃは、コンセントケース２に２組のコンセント口１７、１８のみが備わっている以外は、図１、２に示すものと同一である。また、タップ８０は、ＡＢＳ樹脂などの絶縁性材料から形成した扁平な直方体形状のタップケース８１を備え、このタップケース８１の表面８１１には２列に６組のコンセント口８２１、８２２、８２３、８３１、８３２、８３３が配置されている。これら６組のコンセント口８２１、８２２、８２３、８３１、８３２、８３３のうち、１列目のコンセント口８２１、８２２、８２３は電気ケーブル７０を介して多口分岐コンセント１の第１電気プラグ６と電気的に接続され、２列目のコンセント口８３１、８３２、８３３は電気ケーブル７０を介して多口分岐コンセント１の第２電気プラグ７と電気的に接続されている。
【００３９】
従って、第１および第２電気プラグ６、７をそれぞれ、壁面に設置されている電源コンセントのコンセント口に差し込むと、多口分岐コンセント１Ｃの２組のコンセント口１７、１８はそれぞれ、外部の電気機器に対して給電可能な状態となるとともに、タップ８０の６組のコンセント口８２１〜８２３、および８３１〜８３３もそれぞれ、外部の電気機器に対して給電可能な状態となる。
【００４０】
以上のように、本例では、多口分岐コンセント１Ｃに、タップ８０が電気ケーブル７０を介して電気的に接続されているので、多口分岐コンセント１Ｃが取り付け固定される電源コンセントに近い位置に配置された電気機器、および遠い位置に配置された電気機器の双方に対して給電を行うことができる。従来のテーブルタップは、電源コンセントから遠い位置に配置された電気機器に給電を行うものであるが、本例の多口分岐コンセント１Ｃは、電源コンセントに近い位置および遠い位置のいずれの位置に配置された電気機器に対しても給電を行うことができるので、大変便利である。
【００４１】
なお、本例の多口分岐コンセント付きテーブルタップ１００は、実施の形態１で説明したような２口電源コンセント用多口分岐コンセントを用いたが、勿論、実施の形態２で説明しような３口電源コンセント用多口分岐コンセント、あるいは実施の形態３で説明しような多口分岐コンセントを用いることも可能である。
【００４２】
［実施の形態５］
図７は、本発明の実施の形態５に係る多口分岐コンセントを示す分解斜視図である。図８は、図７に示す多口分岐コンセントの第１多口分岐コンセントユニットを背面側から見た場合の斜視図である。これらの図には、一般家庭などにおいて壁面に埋め込まれている電源コンセントなどのように垂直に設けられている電源コンセントに取り付ける場合を示してある。本例の多口分岐コンセント１Ｄは、第１多口分岐コンセントユニット１０ａと、第２多口分岐コンセントユニット１０ｂと、これら第１および第２多口分岐コンセントユニット１０ａ、１０ｂを並列状態で装着可能なホルダケース１０ｃとを備えている。
【００４３】
第１多口分岐コンセントユニット１０ａは、ＡＢＳ樹脂などの絶縁性材料から形成した扁平な直方体形状のユニットケース１０２ａを備え、その背面１０４ａには、壁面Ｗに埋め込まれている２口電源コンセント５のコンセント口５１、５２に差し込み可能な１組の電気プラグ１０６ａを構成している一対の栓刃が垂直方向に突出している。また、ユニットケース１０２ａの前面および外周側面にはそれぞれ、１組ずつコンセント口１０７ａ、１０８ａ、１０９ａ、１１０ａが配置されている。これら４組のコンセント口１０７ａ〜１１０ａはいずれも僅かに外側に突き出ている。また、４組のコンセント口１０７ａ〜１１０ａは、ユニットケース１０２ａの内部において第１電気プラグ１０６ａと電気的に接続されている。従って、第１電気プラグ１０６ａを、図７に示すように、２口電源コンセント５の上側のコンセント口５１に差し込むと、４組のコンセント口１０７ａ〜１１０ａはそれぞれ、外部の電気機器に対して給電可能な状態となる。
【００４４】
一方、第２多口分岐コンセントユニット１０ｂは、第１多口分岐コンセントユニット１０ａと上下対称に構成されているので、その詳細な説明は省略する。
【００４５】
ホルダケース１０ｃは、全体として、上下に長い矩形の浅い皿形状をしており、その上下の中央部分において幅方向に平行に架け渡された２枚の仕切り板１６１ａ、１６２ｂによって上下にユニット装着用凹部１１２ａ、１１２ｂが形成されている。各ユニット装着用凹部１１２ａ、１１２ｂは、第１多口分岐コンセントユニット１０ａ、第２多口分岐コンセントユニット１０ｂよりも僅かに小さな寸法に設定されている。また、ホルダケース１０ｃには、第１および第２多口分岐コンセントユニット１０ａ、１０ｂのコンセント口１０７ａ〜１１０ａ、１０７ｂ〜１１０ｂに対応する位置に、矩形孔１１７ａ、１１７ｂおよび切り欠き１１８ａ、１１９ａ、１２０ａ、１１８ｂ、１１９ｂ、１２０ｂがそれぞれ形成されている。これらのユニット１０ａ、１０ｂを凹部１１２ａ、１１２ｂに押し込むと、当該ホルダケースが弾性変形して、各ユニット１０ａ、１０ｂが凹部１１２ａ、１１２ｂに保持された状態が形成される。この状態においては、各ユニット１０ａ、１０ｂの電気プラグ１０６ａの栓刃が一定の間隔で平行に延びた状態になる。また、コンセント口１０７ａ〜１１０ａ、１０７ｂ〜１１０ｂが露出した状態になる。よって、図１、２に示す２組の電気プラグを備えている場合と同様な形態を構成できる。
【００４６】
以上説明したように、本例の多口分岐コンセント１Ｄでは、第１多口分岐コンセントユニット１０ａと第２多口分岐コンセントユニット１０ｂとをホルダケース１０ｃによって相互に連結可能である。第１および第２多口分岐コンセントユニット１０ａ、１０ｂを相互に連結して２口電源コンセント５に取り付け固定した状態では、多口分岐コンセント１Ｄは、２組の電気プラグ１０６ａ、１０６ｂによって２口電源コンセント５に取り付け固定された状態であるので、２口電源コンセント５に確実に固定される。それ故、多口分岐コンセント１Ｄに対して電気機器の電気プラグの抜き差しを行う作業を片手で行うことや、多口分岐コンセント１のコンセント口の数を増やすことができるなど、上述した実施の形態１〜３と同様な効果を奏する。
【００４７】
また、本例の多口分岐コンセント１Ｄでは、第１および第２多口分岐コンセントユニット１０ａ、１０ｂを連結せずに、それらを単独で使用することも可能であるので、汎用性が高い。
【００４８】
なお、本例では、２口電源コンセント用の多口分岐コンセント１Ｄについて説明したが、多口分岐コンセントユニットを３組として、これらをホルダケースによって相互に連結した３口電源コンセント用の多口分岐コンセントについても本発明を適用できることは勿論である。
【００４９】
［実施の形態６］
図９(ａ)および(ｂ)は、本発明の実施の形態６に係る連結式の多口分岐コンセントの斜視図であり、図１０(ａ)および(ｂ)は、多口分岐コンセントの側面図である。本例の連結式の多口分岐コンセント１Ｅは、分離可能な状態で相互に連結された第１多口分岐コンセントユニット１０ｄおよび第２多口分岐コンセントユニット１０ｅを有している。
【００５０】
これらのユニット１０ｄ、１０ｅは、図９(ａ)および図１０(ａ)に示す第１連結状態となるように連結可能であると共に、図９(ｂ)および図１０(ｂ)に示す第２連結状態となるように連結可能である。第１連結状態では、双方のユニット１０ｄ、１０ｅの電気プラグの栓刃間隔が第１間隔Ｌ１となり、２口タイプの電源コンセントに差込可能になる。これに対して、第２連結状態では栓刃間隔がＬ１よりも広いＬ２となり、３口タイプの電源コンセントに差込可能になる。
【００５１】
詳細に説明すると、第１多口分岐コンセントユニット１０ｄは、ＡＢＳ樹脂などの絶縁性材料から形成した扁平な直方体形状のユニットケース１０２ｄを備えている。ユニットケース１０２ｄの前面１０３ｄには、壁面に埋め込まれている電源コンセント(図示せず)のコンセント口に差し込み可能な１組の電気プラグ１０６ｄを構成している一対の栓刃が垂直に突出している。
【００５２】
ユニットケース１０２ｄの左右の側面には、それぞれ、１組のコンセント口１０７ｄ、１０８ｄが配置されている。これら２組のコンセント口１０７ｄ、１０８ｄは、ユニットケース１０２ｄの内部において第１電気プラグ１０６ｄに電気的に接続されている。従って、第１電気プラグ１０６ｄを、電源コンセントのコンセント口に差し込むと、２組のコンセント口１０７ｄ、１０８ｄはそれぞれ、外部の電気機器に対して給電可能な状態となる。
【００５３】
ユニットケース１０２ｄにおける上下の端面１０４ｄ、１０５ｄには、ユニット連結用の差込突起１４１ｄ、１５１ｄが形成されている。差込突起１４１ｄ、１５１ｄは同一形状のものであり、端面１０４ｄ、１０５ｄのほぼ全体に亘って形成されている。
【００５４】
第２多口分岐コンセントユニット１０ｅは、第１多口分岐コンセントユニット１０ｄと略同一に構成されており、扁平な直方体形状のユニットケース１０２ｅを備え、その前面１０３ｅには、電源コンセント(図示せず)のコンセント口に差し込み可能な１組の電気プラグ１０６ｅを構成している一対の栓刃が垂直に突出している。
【００５５】
ユニットケース１０２ｅにおける左右の側面、および一方の端面には、それぞれ１組のコンセント口１０７ｅ、１０８ｅ、１０９ｅが配置されている。これら３組のコンセント口１０７ｅ〜１０９ｅは、ユニットケース１０２ｅの内部において第１電気プラグ１０６ｅに電気的に接続されている。従って、第１電気プラグ１０６ｅを、電源コンセントのコンセント口に差し込むと、３組のコンセント口１０７ｅ〜１０９ｅはそれぞれ、外部の電気機器に対して給電可能な状態となる。
【００５６】
ユニットケース１０２ｄの残りの端面１０４ｅには、差込突起１４１ｄ、１５１ｄを着脱可能な状態で差し込むことのできる差込溝１４１ｅが形成されている。この差込溝１４１ｅは、差込突起１４１ｄ、１５１ｄの輪郭形状と相補的な断面形状をしており、一方の溝端が開放状態のままであり、他方の溝端は封鎖されている。
【００５７】
したがって、開放状態の溝端から差込突起１４１ｄ、１５１ｄを当該差込溝１４１ｅに差し込むことができる。差込突起１４１ｄ、１５１ｄを他方の封鎖されている溝端まで差し込むと、図に示すような連結状態が形成され、一方のユニットを側方にスライドさせない限り、ユニットを分離できない状態になる。このように、本例では双方のユニットを連結するための連結部が差込突起と差込溝から構成されている。
【００５８】
ここで、差込突起１５１ｄを差込溝１４１ｅに差し込むと、図９(ａ)および図１０(ａ)に示す第１連結状態が形成される。この状態では、第１多口分岐コンセントユニットの端面１０５ｄが他方の第２多口分岐コンセントユニットの端面１０４ｅに当接する。反対側の差込突起１４１ｄを差込溝１４１ｅに差し込むと、図９(ｂ)および図１０(ｂ)に示す第２連結状態が形成される。この状態では、第１多口分岐コンセントユニットの端面１０４ｄが第２多口分岐コンセントユニットの端面１０４ｅに当接する。
【００５９】
また、本例の第１多口分岐コンセントユニット１０ｄにおいて、電気プラグ１０６ｄの栓刃は、ユニットケース１０２ｄの前面１０３ｄの中心よりも端面１０５ｄの側にずれた位置に配置されている。したがって、当該栓刃から端面１０４ｄまでの距離が、当該栓刃から他方の端面１０５ｄまでの距離よりも長い。それ故、図９(ａ)、図１０(ａ)に示す第１連結状態では双方のユニット１０ｄ、１０ｅの栓刃間隔がＬ１と狭くなり、図９(ｂ)、図１０(ｂ)に示す第２連結状態では栓刃間隔がＬ２と広くなる。
【００６０】
間隔Ｌ１は２口電源コンセント(図示せず)のコンセント口間距離と同一に設定されている。間隔Ｌ２は３口電源コンセントにおける両側のコンセント口間距離と同一になるように設定されている。
【００６１】
以上説明したように、本例の多口分岐コンセント１Ｅでは、第１および第２多口分岐コンセントユニット１０ｄ、１０ｅの連結状態を切り替えることによって、電気プラグ１０６ｄ、１０６ｅの間隔を変更できる。それ故、様々なタイプの電源コンセントに対応できるので、汎用性が高い。
【図面の簡単な説明】
【００６２】
【図１】本発明の実施の形態１に係る多口分岐コンセントを示す図であり、(ａ)は正面側から見た場合の斜視図であり、(ｂ)は背面側から見た場合の斜視図である。
【図２】(ａ)〜(ｃ)はそれぞれ、図１に示す多口分岐コンセントの内部構造を示す説明図、右側面図、および底面図である。
【図３】本発明の実施の形態２に係る３口電源コンセント用の多口分岐コンセントを示す斜視図である。
【図４】本発明の実施の形態３に係る多口分岐コンセントを示す図であり、(ａ)は正面側から見た場合の斜視図であり、(ｂ)は背面側から見た場合の斜視図であり、(ｃ)は一部を切り欠いた状態で示す右側面図である。
【図５】(ａ)〜(ｄ)は、図４のコンセントの電気プラグの間隔調整動作の説明図である。
【図６】(ａ)は本発明を適用した多口分岐コンセント付きテーブルタップを示す斜視図であり、(ｂ)はその多口分岐コンセントの部分を正面側から見た場合の斜視図である。
【図７】本発明の実施の形態５に係る多口分岐コンセントを示す分解斜視図である。
【図８】図７の多口分岐コンセントのコンセントユニットを示す斜視図である。
【図９】(ａ)および(ｂ)は、本発明の実施の形態６に係る連結式の多口分岐コンセントを示す斜視図である。
【図１０】(ａ)および(ｂ)は、図９の多口分岐コンセントの側面図である。
【図１１】従来の多口分岐コンセントを示す説明図である。
【符号の説明】
【００６３】
１、１Ａ、１Ｂ、１Ｃ、１Ｄ、１Ｅ  多口分岐コンセント
１００  多口分岐コンセント付きテーブルタップ
１０ａ  第１多口分岐コンセントユニット
１０ｂ  第２多口分岐コンセントユニット
１０ｃ  ホルダケース
１０ｄ  第１多口分岐コンセントユニット
１０ｅ  第２多口分岐コンセントユニット
２  コンセントケース
５  ２口電源コンセント
５１、５２  コンセント口
６  第１電気プラグ
７、７Ａ  第２電気プラグ
６ａ、６ｂ、７ａ、７ｂ  栓刃
８  第３電気プラグ
９  スイッチ
１１〜１８、１０７ａ〜１１０ａ、１０７ｂ〜１１０ｂ、１０７ｄ、１０８ｄ、１０７ｅ〜１０９ｅ  コンセント口
７０  電気ケーブル
８０  タップ
１０２ａ、１０２ｂ、１０２ｄ、１０２ｅ  ユニットケース
１０４ｄ、１０４ｅ、１０５ｄ  端面
１０６ａ、１０６ｂ、１０６ｄ、１０６ｅ  電気プラグ
１４１ｄ、１５１ｄ  差込突起
１４１ｅ  差込溝
Ｌ１、Ｌ２  栓刃間隔
【図１】
2006114472.tif 000003
【図２】
2006114472.tif 000004
【図３】
2006114472.tif 000005
【図４】
2006114472.tif 000006
【図５】
2006114472.tif 000007
【図６】
2006114472.tif 000008
【図７】
2006114472.tif 000009
【図８】
2006114472.tif 000010
【図９】
2006114472.tif 000011
【図１０】
2006114472.tif 000012
【図１１】
2006114472.tif 000013